(57)【特許請求の範囲】
【請求項１】
その内側面により、廃棄物投棄用の凹面を形成する壁体と、前記凹面を覆うものであり、前記凹面から外部への浸出水の漏水を防止する機能を有する遮水層と、を備えてなる廃棄物処分場を構築するための廃棄物処分場の構築方法であって、
前記凹面との間に所定の間隔を設けて、前記凹面から外部への浸出水の漏水を防止する機能を有するシートがその凹面側に取り付けられた型枠を配する過程、
前記型枠に取り付けられたシートと前記凹面との間の間隙にコンクリートを打設する過程、
前記コンクリート硬化後に、前記型枠を除去する過程、
前記型枠を除去した後に残った前記シートの表面に樹脂材料を層状に散布する過程、
前記樹脂材料を硬化させる過程、を含んでおり、
前記シートとして、その凹面側の面に硬化した前記コンクリートから抜け落ちないような形状とされた突起が複数設けられているとともに、前記樹脂材料が散布される側の面に前記樹脂材料が付着し易くなるような波型の凹凸が設けられたものを用い、
硬化させた前記樹脂材料を前記遮水層とする、廃棄物処分場の構築方法。
【請求項２】
前記樹脂材料として、硬化させたときにその内部に独立気泡体を形成するものを用いる、
請求項１記載の廃棄物処分場の構築方法。
【請求項３】
前記樹脂材料として、硬質ウレタン樹脂を用いる、
請求項１記載の廃棄物処分場の構築方法。
【請求項４】
前記樹脂材料を、前記凹面の全面に散布する、
請求項１記載の廃棄物処分場の構築方法。
【発明の詳細な説明】
【０００１】
【発明の属する技術分野】
本発明は、廃棄物処分場の構築技術に関する。より詳細には、その内側面により、廃棄物投棄用の凹面を形成する壁体と、前記凹面を覆うものであり、前記凹面から外部への浸出水の漏水を防止する機能を有する遮水層と、を備えてなる廃棄物処分場を構築するための廃棄物処分場の構築方法に関する。
【０００２】
【従来の技術】
廃棄物処分場は、地面を掘り下げ、或いは揚壁を構築するなどして設けられた、例えばコンクリート製とされ、その内側に凹面を形成する壁体を備えている。廃棄物は、この凹面に順次投棄される。
【０００３】
ところで、廃棄物処分場では、凹面内に投棄された廃棄物から生じる浸出水が凹面から外部の土壌に漏水しないようにすることが極めて重要となっており、そのために様々な技術が用いられている。
浸出水の漏水のために最も汎用されているのが、凹面の表面全体に遮水シートを敷設することである。合成樹脂シートやゴムシートよりなる高い遮水性能を有する遮水シートを凹面の全体に敷設することによって、浸出水の外部への漏水を防止するのである。
【０００４】
ところが、遮水シートの敷設の作業は面倒であり、場合によっては危険も伴う。
遮水シートは、一般に、長尺であり、それをロール状に丸めた状態で取り扱われるが、その長尺さや重さ故に、その取扱いが面倒である。また、遮水シートを、凹面の内側に敷設する場合、遮水シートは、凹面を構成する法面の上縁部に一旦置かれるが、ここは、凹面の底面から見て高所になるため、その作業には慎重さが求められることになる。
【０００５】
他方、上記のようにして遮水シートを敷設しても、後の管理が面倒になりがちである。例えば、遮水シートは、凹面の法面同士が接する部分や、法面と底面とが接する部分で凹面から浮く場合があり、このような場合には、遮水シートの破損のおそれがどうしてもつきまとう。遮水シートの破損があった場合には、すぐにその補修をする必要があるため、遮水シートの破損をモニタするための機構が種々提案されているものの、それを実行するには、手間、コストが嵩んでしまう。
【０００６】
【発明が解決しようとする課題】
本発明は、これらの不具合を解決できる廃棄物処分場の構築方法を提供せんとするものである。
より詳細には、遮水シートを用いる場合よりも容易、且つ安全に施工できる方法であって、遮水シートを敷設したのと同様の浸出水の漏水防止機能を有すると共に、遮水層の破損についての事後的な管理を行わなくてもすむ廃棄物処分場を得られる廃棄物処分場の構築方法を提供することを目的とする。
【０００７】
【課題を解決するための手段】
上記課題を解決するための、本願発明における廃棄物処分場の構築方法は、以下のようなものである。
この方法は、その内側面により、廃棄物投棄用の凹面を形成する壁体と、前記凹面を覆うものであり、前記凹面から外部への浸出水の漏水を防止する機能を有する遮水層と、を備えてなる廃棄物処分場を構築するための廃棄物処分場の構築方法をその基本とする。
そして、前記凹面の所定の部分に、樹脂材料を層状に散布する過程、前記樹脂材料を硬化させる過程、を含んでおり、硬化させた前記樹脂材料を前記遮水層とする、廃棄物処分場の構築方法である。
この方法では、遮水シートを用いる代わりに、散布し、硬化させた樹脂材料により、遮水層を形成することとしている。これにより、遮水シートを用いることによる上述の如き不具合とは無縁であるため、遮水シートを用いる場合よりも容易、且つ安全に施工を行うことができる。
また、上記遮水層は、前記凹面から外部への浸出水の漏水を防止する機能を有するものとされているので、この廃棄物処分場の構築方法で得た廃棄物処分場は、遮水シートを敷設したのと同様に浸出水の漏水の防止を行えるようなものとなる。
更に、散布し、硬化させた樹脂材料により、遮水層を形成することにより、遮水層が、凹面から浮くということもなくなる。したがって、この廃棄物処分場の構築方法で得た廃棄物処分場であれば、遮水層が破損するおそれが小さいので、遮水層の破損についての事後的な管理を行わなくてもすむようになる。
【０００８】
上述の樹脂材料は、凹面の少なくとも一部に散布するようにすれば良い。凹面のうち、樹脂材料による遮水層が形成されていない部分には、遮水シートを用いる等して、遮水層を形成することができる。凹面の全面に樹脂材料を散布して、凹面全面に樹脂材料による遮水層を形成することも当然に可能である。
本発明の廃棄物処分場の構築方法で用いる樹脂材料は、上述の如き遮水機能を得られるものであれば、どのようなものを用いても良い。
樹脂材料として、硬化させたときにその内部に独立気泡体を形成するものを用いることできる。このような樹脂材料を用いれば、遮水機能に影響を与えることなく、緩衝材としての機能を遮水層に与えられるようになるので、遮水層の破損の可能性を更に抑えられるようになる。硬化させたときにその内部に独立気泡体を形成する樹脂材料としては、例えば、硬質ウレタン樹脂を用いることができる。
【０００９】
上述の壁体は、一般的にはコンクリートによりできている。本発明の廃棄物処分場の構築方法では、その表面である凹面の少なくとも一部に、樹脂材料を散布して付着させるのであるが、凹面の表面が平滑である場合、樹脂材料の凹面に対する付着が十分に行えないことも考えられる。
樹脂材料の凹面への付着を十分なものにするには、例えば、凹面のうち樹脂材料を散布する部分の表面を、樹脂材料の散布に先立って、樹脂材料の食い付きが良くなる程度に荒らす、という手法が考えられる。
また、他の手法として、前記凹面の前記樹脂材料を層状に散布する部分に、露出する表面に、前記樹脂材料が付着し易くなるような所定の凹凸が設けられたシートを敷設し、このシートの前記表面に、前記樹脂材料を層状に散布する、というものが考えられる。予め凹凸をシートに設けておくことで、部分による樹脂材料の付着ムラを小さくできる。このシートは、凹面から外部への浸出水の漏水を防止する機能を有するものを用いることができる。このようにすれば、遮水機能を有するシート＋樹脂材料による遮水層という、２重の構造を形成できるようになるため、この廃棄物処分場の構築方法により得られた廃棄物処分場は、遮水機能に関して高い信頼性を有するものとなる。また、上述のような、硬化させたときにその内部に独立気泡体を形成する樹脂材料と組み合わせれば、シートの破損のおそれが小さいため、その遮水機能に対する信頼は、益々高いものとなる。
【００１０】
遮水シートの凹面に対する敷設は、どのように行っても良い。例えば、以下のように行うことができる。前記凹面との間に所定の間隔を設けて、その凹面側に前記シートが取り付けられた型枠を配する過程を行い、次いで前記型枠に取り付けられたシートと前記凹面との間の間隙にコンクリートを打設する過程を行い、次いで前記コンクリート硬化後に、前記型枠を除去する過程を行うのである。このようにすることで、シートと凹面の密着性を高められるので、シートの破損の可能性を更に小さくできるようになる。なお、この場合のシートは、硬化したコンクリートから抜け落ちないような形状とされた突起がその裏面に複数設けられたものとすることができる。
【００１１】
【発明の実施の形態】
以下、図面を参照して、本発明の好ましい一実施形態についての説明を行う。
【００１２】
この実施形態による廃棄物処分場の構築方法は、図１に示したように行われる。
図１中、１０は凹面である。この実施形態における凹面１０は、地面を掘り下げて形成している。但し、凹面１０は、平らな底面の周りに、所定高さの揚壁を構築することで形成してもよい。凹面１０は、この実施形態ではコンクリート製とされた壁体の内側面とされている。
この実施形態による廃棄物処分場では、上記凹面１０の全面に、遮水層を形成することとしている。
【００１３】
この実施形態の方法を実施するにあたっては、まず、図１（イ）に示したように、凹面１０の全面に対向するようにして、凹面１０との間に所定の間隔を空けて、型枠３０を配する。
型枠３０の凹面１０と対向する側の面には、シート２０が固定されている。従って、型枠３０を配することで、シート２０が凹面１０と対向して配されることになる。シート２０の型枠３０に対する固定の仕方はどのようなものでも良いが、この実施形態の型枠３０は木製とされていることを考慮して、シート２０は、釘で型枠３０に固定されている。型枠３０は、理論上は一体化することができるが、この実施形態における型枠３０は適宜な大きさで複数に分割されており、すべてを配列すると凹面１０の全面を覆うようになっている。
【００１４】
上述のシート２０は、例えば、樹脂製であり、遮水の機能を有するものとなっている。このシート２０の厚さは、１〜５ｍｍとするのがよいが、この実施形態では３ｍｍとしてある。その素材は、遮水機能が発揮でき、且つ幾らかの可撓性が保証されることを条件に適当に選択すれば良いが、この例では可塑性樹脂が採用されている。
シート２０の断面形状を図２に示す。この実施形態におけるシート２０は、シート本体２０Ａを備えており、その裏面（型枠３０と当接しない側の面：図２中左側の面）に多数の第１突起２１が、表面（型枠３０と当接する側の面：図２中右側の面）に多数の第２突起２２がそれぞれ一体的に設けられている。
シート本体２０Ａは膜状に形成されている。
この実施形態における第１突起２１、第２突起２２は、大きさが異なるものの、略同一の形状とされており、略円盤状の円盤部２１Ａ、２２Ａと、これらをシート本体２０Ａと接続する略円柱状の円柱部２１Ｂ、２２Ｂを備えている。
もっとも、第１突起２１はこのような形状である必要はなく、またシート本体２０Ａと一体化されている必要もない。第１突起２１は、硬化したコンクリートから抜け落ちないような形状とされていれば十分であり、図２に示した如き茸型以外に、鍵型や、コイル型など適当な形状にすることができる。第２突起２２は、後述する樹脂材料が付着しやすくなるようなものであれば良く、そのような凹凸が形成される限り、他の形状とされていても良い。更に言えば、そのような凹凸が形成されるのであれば、第２突起２２は不要である。例えば、シート本体２０Ａの表面を波型に加工しておくことで、第２突起２２の代わりとすることができる。
【００１５】
次に、図１（ロ）に示したように、凹面１０と型枠３０との間に、より詳細に言えば、凹面１０と型枠３０に固定されたシート２０との間に、コンクリート４０を打設する。
【００１６】
次に、図１（ハ）に示したように、一定の期間養生させコンクリート４０を硬化させた後、型枠３０を除去する。これにより、凹面１０上に設けられたコンクリート４０の層と一体化した状態で、凹面１０の全面を覆うようにして、シート２０が配される。シート２０は、上述の第１突起２１の存在により、コンクリート４０の層と完全に密着した状態となる。
尚、シート２０の遮水機能を確保するため、シート２０の隣接部同士を、例えば熱溶着により接合する。熱溶着を行う場合には、例えば、シート２０と同素材の樹脂を用いても良い。また、シート２０からは、多数の釘が突出した状態となる。この釘は、抜く、或いは切断するなどして除去する必要がある。釘があったことで生じたシート２０の孔も、例えば、上述したのと同様の熱溶着により塞いでおく。
【００１７】
次に、図１（ニ）に示したように、シート２０の露出する面の全体に、樹脂材料５０を層状になるように散布する。つまり、凹面１０の全面に樹脂材料５０を散布する。樹脂材料５０の厚さがなるべく一定になるように、ムラが生じないようにしながらその散布を行う。
樹脂材料５０の素材や厚さは、それが硬化したときに形成される遮水層が、凹面１０から外部への浸出水の漏水を防止できるような範囲で適当に選択する。また、この実施形態における樹脂材料５０は、硬化させたときにその内部に独立気泡体を形成するものを用いることとしている。例えば、この実施形態では、樹脂材料５０の素材として硬質ウレタン樹脂を用いることとしており、その厚さを１０ｍｍ〜１５ｍｍにすることとしている。
【００１８】
樹脂材料５０の層を、そのまま所定時間放置し、硬化させると、樹脂材料５０の層が遮水機能を有する遮水層となる。
【００１９】
このようにして、廃棄物処分場が完成する。
尚、この実施形態における廃棄物処分場は、図３に示したように、家屋６０内に設けられた、いわゆるクローズドタイプのものとしても構わない。家屋６０は、雨水が凹面１０へ浸入するのを防止するためのものであり、これにより凹面１０内に浸出水が溜まるのを防止できるようになる。
また、廃棄物処分場には、凹面１０内に溜まった浸出水を外部へ排出するための設備を設けることもできる。例えば、多数の孔の開いたパイプを、遮水層の表面に沿って適当に配し、ポンプで該パイプ内を吸引することで、凹面１０内に溜まった浸出水を外部へ排出できるようにしてもよい。
【００２０】
【発明の効果】
本発明による廃棄物処分場の構築方法は、以上のようなものなので、遮水シートを用いる場合よりも容易、且つ安全に施工できる。また、これにより得られる廃棄物処分場は、遮水シートを敷設したのと同様の浸出水の漏水防止機能を有すると共に、遮水層の破損についての事後的な管理を行わなくてもすむものとなる。
【図面の簡単な説明】
【図１】  本発明の好ましい一実施形態における廃棄物処分場の構築方法の実行フローを示す図。
【図２】  図１で示した廃棄物処分場の構築方法で用いるシートの一例を示す断面図。
【図３】  図１で示した廃棄物処分場の構築方法を用いて得られる廃棄物処分場の一例を概略的に示す図。
【符号の説明】
１０  凹面
２０  シート
２１  第１突起
２２  第２突起
３０  型枠
４０  コンクリート
５０  樹脂材料
６０  家屋
【図１】
0003686615.tif 000002
【図２】
0003686615.tif 000003
【図３】
0003686615.tif 000004